(57)【要約】【課題】安価な方法で外蓋を確実にロックし、かつ、信頼性の高いロック機構を有しており、安全性の高い脱水機を実現する。【解決手段】スライド部材４７を第１の所定の位置（Ｘ）までスライドさせると、ロック部材５３のロック面５３ａが、外蓋３８に形成した後方突出部４０の下方に入り込み、ロック面５３ａにより後方突出部４０の矢印Ａ方向へ回転が規制されるので、外蓋３８はロック状態となり、押圧部材５４の当接面５４ａが下スイッチレバー先端部５７ｂに当接し下方より上方へ押し上げ、上スイッチレバー接触部５６ａと下スイッチレバー接触部５７ａが接触するので、モータ３２への通電が可能な状態となり、同時に、ブレーキ機構４２に連結した略逆Ｌ字部４５ｂが係止リブ５２ｂに係止されるため、ブレーキが解除され、脱水かご３１が回転可能な状態となる。【選択図】図２
2005287616.tif 000002
【特許請求の範囲】
【請求項１】
本体と、前記本体に内設され被脱水物を収容する脱水かごと、前記脱水かごを回転駆動するモータと、後部に回転軸を有し前記脱水かごに臨む本体の開口部を開閉する外蓋と、前記外蓋の後端部に設けられ後方へ突出する後方突出部と、前記外蓋を閉状態にロックするロック構成部材と、前記モータへの通電を制御する開閉スイッチと、前記脱水かごの回転を制動するブレーキ機構とを備え、前記ロック構成部材は、前記後方突出部の下方に移動し前記後方突出部の動きを規制することにより前記外蓋を閉状態にロックするロック部と、当接することにより前記開閉スイッチを閉状態にする当接部と、前記ブレーキ機構に連結したコントロールワイヤーの一端を係止し引き上げることにより制動力を解除する係止部とを一体に有し、前記ロック部が前記後方突出部の下方に位置するとき、前記開閉スイッチを閉状態とすることにより前記モータへの通電を可能とするとともに、前記ブレーキ機構の制動力を解除するように構成した脱水機。
【請求項２】
ロック部が後方突出部の下方から外れて位置するとき、開閉スイッチを開状態とすることによりモータへの通電を遮断するとともに、ブレーキ機構の制動力を付加するように構成した請求項１記載の脱水機。
【請求項３】
外蓋の後方に設けられ後方突出部およびロック構成部材を覆うパネル部材と、前記パネル部材に設けられその外方からのスライド操作が可能なスライド部材とを備え、前記スライド部材のスライド動作に連動して前記ロック構成部材が移動するように構成した請求項１または２に記載の脱水機。
【請求項４】
ロック構成部材に回転軸を設け、前記ロック構成部材が前記回転軸を中心に回転するように構成した請求項１〜３のいずれか１項に記載の脱水機。
【請求項５】
ロック構成部材が外蓋をロック状態にする位置に維持されるためのストッパー部を設けた請求項１〜４のいずれか１項に記載の脱水機。
【発明の詳細な説明】
【技術分野】
【０００１】
本発明は蓋のロック機構を有する脱水機に関するものである。
【背景技術】
【０００２】
従来、脱水機においては、脱水かごの上方に外蓋を設け、その開閉をスイッチのオン・オフおよびブレーキ動作と連動させ、外蓋を開いたときは脱水かごに連結したモータの電源を切り、脱水かごの回転を停止させていた。しかしながら、外蓋を開いても脱水かごはしばらくの間、慣性によって回転を続けるので、その回転中に脱水かごの中に手を入れると手指を傷つけることがあった。そこでそれに対応するために外蓋にロックがかかるロック機構を有する脱水機が提供されている（例えば、特許文献１参照）。
【０００３】
図４は、従来のロック機構を有する脱水機のロック機構部分を示したもので、以下その構成について説明する。本体１の上部にタンク２が載置され、タンク２を構成する水受槽４内に脱水かご３が装備され、水受槽４の前面上部には凹部の段部５が形成されている。この段部５には、外蓋６のロック用略Ｌ字形の係止突起７を脱水かご３の回転中ロックして外蓋６が開かないようにするための操作レバー８を設けている。操作レバー８は操作軸９に軸支され、係止突起７と係合する略逆Ｌ字形の爪部１０を有している。また操作レバー８には、脱水機下部のモータの回転検知部（図示せず）と連結するワイヤー１１を挿着した操作棒１２を連結している。操作棒１２はその上端部１４を操作レバー８に設けた連結孔１３に挿入して遊嵌状態に連結している。操作棒１２はその下部にワイヤー１１との連結部１５を有し、かつ上端部１４と連結部１５との中間部１６には蛇腹パッキング１７の固定部１８が水密に取り付けられている。蛇腹パッキング１７の下部は中空で中央にワイヤー１１が通る孔を有するパッキング取付具２８により段部５の底面に取り付けられている。取付具２８には、段部５の裏面まで突出させた突出部を有しその突出部の外周のねじ部１９を設け、取付具２８は、ワイヤー１１の外周に遊嵌にて挿着されたチューブ２１の上端を固定する上端固定部２２を有するチューブ固定具２３に設けたねじ部２０にねじ部１９を螺着させることにより固定している。
【０００４】
水受槽４にはその上面を覆うカバー体２４を設け、カバー体２４には衣類を投入するための投入口２５を設けている。水受槽４には、その水受槽４と、操作レバー８を収納する段部５とを仕切る仕切りカバー２６を設け、その上面には外蓋６の係止突起７を通す通孔２７を設けている。
【０００５】
以上のように構成された脱水機について、その動作を以下に説明する。モータの回転検知部（図示せず）と連結されたワイヤー１１が脱水中は、引張り力Ｆが与えられ、外蓋６をロックする。脱水が終了すると、これを検知してワイヤー１１を緩める。ここで操作レバー８は常にイ方向に付勢されているため、外蓋６が操作レバー８の爪部１０と係止状態とならず、仕切りカバー２６の通孔２７を外蓋６の係止突起７が自由に出入りでき、ロック開放状態となる。
【特許文献１】特公昭５９−１３２３９号公報
【発明の開示】
【発明が解決しようとする課題】
【０００６】
しかしながら、このような従来の脱水機においては、外蓋６をロックするために、モータの回転検知部とワイヤー１１に引張り力を与えるための駆動装置が必要となり、コストが大幅にかかるものとなっていた。また、モータの回転検知部やワイヤー１１に引張り力を与えるための駆動装置が故障した場合など、外蓋６をロックできず、危険な状態になる可能性があった。
【０００７】
本発明は、上記従来の課題を解決するもので、安価な方法で外蓋を確実にロックし、かつ、信頼性の高いロック機構を有しているので、安全性の高い脱水機を提供することを目的としている。
【課題を解決するための手段】
【０００８】
本発明は上記目的を達成するために、本発明の脱水機は、本体と、前記本体に内設され被脱水物を収容する脱水かごと、前記脱水かごを回転駆動するモータと、後部に回転軸を有し前記脱水かごに臨む本体の開口部を開閉する外蓋と、前記外蓋の後端部に設けられ後方へ突出する後方突出部と、前記外蓋を閉状態にロックするロック構成部材と、前記モータへの通電を制御する開閉スイッチと、前記脱水かごの回転を制動するブレーキ機構とを備え、前記ロック構成部材は、前記後方突出部の下方に移動し前記後方突出部の動きを規制することにより前記外蓋を閉状態にロックするロック部と、当接することにより前記開閉スイッチを閉状態にする当接部と、前記ブレーキ機構に連結したコントロールワイヤーの一端を係止し引き上げることにより制動力を解除する係止部とを一体に有し、前記ロック部が前記後方突出部の下方に位置するとき、前記開閉スイッチを閉状態とすることにより前記モータへの通電を可能とするとともに、前記ブレーキ機構の制動力を解除するように構成したものである。
【０００９】
これにより、外蓋をロックするために、モータの回転検知部およびワイヤーに引張り力を与えるための駆動装置が必要でないので、安価な方法で外蓋を確実にロックするとともに安全性を向上させることができ、かつ、信頼性の高いロック機構を実現することができる。
【発明の効果】
【００１０】
本発明の脱水機は、ロックするための駆動装置等が必要なく、安価な方法で外蓋を確実にロックし、かつ、信頼性の高いロック機構を有しているので、安全性を向上させることができるとともに、低コスト化も実現させることができる。
【発明を実施するための最良の形態】
【００１１】
第１の発明は、本体と、前記本体に内設され被脱水物を収容する脱水かごと、前記脱水かごを回転駆動するモータと、後部に回転軸を有し前記脱水かごに臨む本体の開口部を開閉する外蓋と、前記外蓋の後端部に設けられ後方へ突出する後方突出部と、前記外蓋を閉状態にロックするロック構成部材と、前記モータへの通電を制御する開閉スイッチと、前記脱水かごの回転を制動するブレーキ機構とを備え、前記ロック構成部材は、前記後方突出部の下方に移動し前記後方突出部の動きを規制することにより前記外蓋を閉状態にロックするロック部と、当接することにより前記開閉スイッチを閉状態にする当接部と、前記ブレーキ機構に連結したコントロールワイヤーの一端を係止し引き上げることにより制動力を解除する係止部とを一体に有し、前記ロック部が前記後方突出部の下方に位置するとき、前記開閉スイッチを閉状態とすることにより前記モータへの通電を可能とするとともに、前記ブレーキ機構の制動力を解除するように構成した脱水機とすることにより、ロックするための駆動装置等が必要なく、安価な方法で外蓋を確実にロックするとともに、モータへの通電とブレーキ機構の制動力を制御できるので、信頼性の高いロック機構を実現するとともに、安全性を向上させることができ、同時に、低コスト化も実現させることができる。
【００１２】
第２の発明は、上記第１の発明の脱水機において、ロック部が後方突出部の下方から外れて位置するとき、開閉スイッチを開状態とすることによりモータへの通電を遮断するとともに、ブレーキ機構の制動力を付加するように構成したことにより、外蓋を開く際に、事前に、確実にモータへの通電を遮断するとともに、脱水かごの回転を制動することができるので、安価な方法で、安全性を向上させることができる。
【００１３】
第３の発明は、上記第１または第２の発明の脱水機において、外蓋の後方に設けられ後方突出部およびロック構成部材を覆うパネル部材と、前記パネル部材に設けられその外方からのスライド操作が可能なスライド部材とを備え、前記スライド部材のスライド動作に連動して前記ロック構成部材が移動するように構成したことにより、スライド部材により使用者が容易に外蓋をロック状態あるいはロック解除状態にすることができる。
【００１４】
第４の発明は、上記第１〜第３のいずれか１つの発明の脱水機において、ロック構成部材に回転軸を設け、前記ロック構成部材が前記回転軸を中心に回転するように構成したことにより、ロック部材の移動を容易にかつ確実に行うことができる。
【００１５】
第５の発明は、上記第１〜第４のいずれか１つの発明の脱水機において、ロック構成部材が外蓋をロック状態にする位置に維持されるためのストッパー部を設けたことにより、外蓋のロック状態を確実に維持することができるため、脱水動作中に不用意に外蓋がロック解除状態になるのを防止することができ、安全性を向上させることができる。
【００１６】
以下、本発明の実施の形態について、図面を参照しながら説明する。また、この実施の形態によって本発明が限定されるものではない。
【００１７】
（実施の形態１）
図１は本発明の実施の形態１における脱水機の側断面図である。図１において、脱水機の本体２９には、水受槽３０を内設し、その水受槽３０内に脱水かご３１を配設するとともに、本体２９の下部に脱水かご３１を回転駆動するモータ３２を弾性支持機構３３を介して弾性支持している。水受槽３０の上面には本体２９の一部をなすカバー体３４を装着し、その略中央部には脱水かご３１内に臨む被脱水物の出し入れ用の開口部３５を形設している。
【００１８】
本体２９の後方上部にはパネル台３６が取り付けられ、そのパネル台３６を覆うようにパネル部材３７が設けられている。その前方には外蓋３８が設けられ、外蓋３８は後端部にヒンジ部３９と後方突出部４０を形成している。パネル部材３７の内部でパネル台３６の上面には、ヒンジ部３９に設けたヒンジ軸３９ａを矢印Ａ方向および反矢印Ａ方向に回動可能に軸支するヒンジ軸受部４１が形成されている。外蓋３８は、その前方部に外蓋取手部３８ａを有し、ヒンジ軸３９ａを中心に開閉可能にカバー体３４を覆っている。
【００１９】
モータ３２の上方にはブレーキ機構４２が配設されており、ブレーキ機構４２は、モータ３２の回転軸３２ａに固定され一体に回転するブレーキドラム４３と、ブレーキパット（図示せず）を有しそのブレーキパットがブレーキドラム４３に摺接して制動力を付与することができるブレーキレバー４４と、このブレーキレバー４４に連結されブレーキレバー４４の位置を変更させることができる可動部材４４ａと、ブレーキレバー４４のブレーキパットがブレーキドラム４３に摺接して制動力を付与する位置に付勢するスプリング（図示せず）とから構成されている。可動部材４４ａにはコントロールワイヤー４５の一端が連結されており、コントロールワイヤー４５の他端はコントロールワイヤー取付板４５ａに連結されている。
【００２０】
図２は本発明の実施の形態１における脱水機の外蓋３８のロック状態での要部矢視図、図３は本発明の実施の形態１における脱水機の外蓋３８のロック解除状態での要部矢視図である。
【００２１】
図１、図２および図３において、パネル部材３７には矢印Ｂ方向および反矢印Ｂ方向にスライド可能なスライド部材４７が設けられており、パネル部材３７の外方に位置するスライド部材４７の上部にはスライド操作部４７ａが設けられ、パネル部材３７の内方に位置するスライド部材４７の下端部には逆Ｕ字状に切欠いた逆Ｕ字部４７ｂが設けられている。
【００２２】
パネル部材３７の内部のパネル台３６上には、第１支持突部４８および第２支持突部４９が設けられており、それぞれその先端部分に第１支持凹部４８ａおよび第２支持凹部４９ａを有している。第１支持凹部４８ａおよび第２支持凹部４９ａは、それぞれ第１軸ピン５０ａおよび第２軸ピン５０ｂを回転可能に枢支している。第１軸ピン５０ａおよび第２軸ピン５０ｂには、それぞれ一端側に第１アーム５１ａおよび第２アーム５１ｂが一体に設けられており、第１アーム５１ａと第２アーム５１ｂの一端部は係止ピン５２ａにより連結され、第１軸ピン５０ａおよび第２軸ピン５０ｂの中心軸をはさんで反対側の他端部は係止リブ５２ｂにより連結されている。係止ピン５２ａは、スライド部材４７の下端部に設けた逆Ｕ字部４７ｂに遊嵌されており、スライド部材４７の矢印Ｂ方向および反矢印Ｂ方向へのスライド動作に伴い、第１軸ピン５０ａおよび第２軸ピン５０ｂの中心軸を回転中心として、矢印Ｃ方向および反矢印Ｃ方向に回動可能に構成されている。
【００２３】
また、コントロールワイヤー４５を介してブレーキ機構４２に連結するコントロールワイヤー取付板４５ａの上端部には、略Ｌ字状に折り曲げた略逆Ｌ字部４５ｂが設けられており、係止リブ５２ｂに係止可能に設けられている。図２に示すように、係止ピン５２ａが矢印Ｃ方向に回転したとき係止リブ５２ｂも矢印Ｃ方向に回転移動するので、コントロールワイヤー取付板４５ａの略逆Ｌ字部４５ｂが係止リブ５２ｂに係止され、コントロールワイヤー４５は可動部材４４ａを介して、ブレーキレバー４４のブレーキパットがブレーキドラム４３に摺接して制動力を付与する位置に付勢するスプリングの付勢力に抗してブレーキレバー４４のブレーキパットをブレーキドラム４３から離れる方向に引っ張る状態となり、ブレーキレバー４４のブレーキパットはブレーキドラム４３から離間して制動力を解除する制動力不作用位置に位置している。一方、図３に示すように、係止ピン５２ａが反矢印Ｃ方向に回転したとき係止リブ５２ｂも反矢印Ｃ方向に回転移動し、コントロールワイヤー取付板４５ａの略逆Ｌ字部４５ｂの係止リブ５２ｂへの係止が外れ、したがって、ブレーキレバー４４のブレーキパットは、スプリングの付勢力により、ブレーキドラム４３に摺接して制動力を付与する制動力作用位置に移動する。
【００２４】
第１軸ピン５０ａの他端側にはロック部材５３が設けられ、第２軸ピン５０ｂの他端側には押圧部材５４が設けられている。ロック部材５３および押圧部材５４は、それぞれ係止ピン５２ａの回動に伴い、第１軸ピン５０ａおよび第２軸ピン５０ｂと一体に矢印Ｃ方向および反矢印Ｃ方向に回動するように構成されている。
【００２５】
また、パネル部材３７の内部にはモータ３２への通電を制御する開閉スイッチ５５が設けられている。開閉スイッチ５５は、上スイッチレバー５６と変形可能な下スイッチレバー５７と有しており、それぞれの先端近傍には上スイッチレバー接触部５６ａおよび下スイッチレバー接触部５７ａが設けられている。上スイッチレバー接触部５６ａと下スイッチレバー接触部５７ａは、自然状態（無負荷状態）では、図３に示すように、所定の間隙を有しており、開閉スイッチ５５は開状態となって、モータへ通電しないように構成している。一方、図２に示すように、下スイッチレバー５７の下スイッチレバー先端部５７ｂが下方より上方へ押し上げられると、上端子接触部５６ａと下端子接触部５７ａとが接触し、開閉スイッチ５５は閉状態となり、モータ３２への通電が可能な状態となるように構成している。
【００２６】
また、ロック部材５３には、その回転中心から所定の距離を有し他の部分より突出したロック面５３ａが設けられ、押圧部材５４には、その回転中心から所定の距離を有し他の部分より突出した当接面５４ａが設けられている。
【００２７】
この構成において、図２に示すように、スライド部材４７を矢印Ｂ方向に第１の所定の位置（Ｘ）までスライドさせると、ロック部材５３は矢印Ｃ方向に回転し、ロック部材５３に設けられたロック面５３ａが、外蓋３８に形成した後方突出部４０の下方に入り込み停止する。このとき、外蓋３８を開けようとしても、ロック面５３ａが後方突出部４０の下方にあるので、矢印Ａ方向への回転が規制され、外蓋３８は開放されるのを規制された状態、すなわちロック状態となっている。それとともに、押圧部材５４の当接面５４ａが下スイッチレバー先端部５７ｂに当接し下スイッチレバー先端部５７ｂを下方より上方へ押し上げる。それによって、上スイッチレバー接触部５６ａと下スイッチレバー接触部５７ａが接触した状態となるので、開閉スイッチ５５は閉状態となり、モータ３２への通電が可能な状態となっている。さらに、コントロールワイヤー取付板４５ａの略逆Ｌ字部４５ｂが係止リブ５２ｂに係止された状態となるため、ブレーキレバー４４のブレーキパットがブレーキドラム４３から離間して制動力を解除する制動力不作用位置に移動し、脱水かご３１が回転可能な状態となっている。
【００２８】
一方、図３に示すように、スライド部材４７を反矢印Ｂ方向に第２の所定の位置（Ｙ）までスライドさせると、ロック部材５３は反矢印Ｃ方向に回転し、ロック部材５３のロック面５３ａは回転移動して外蓋３８に形成した後方突出部４０の下方の位置より外れ停止する。このとき、後方突出部４０の矢印Ａ方向への回転を規制するものがなくなるため、外蓋３８は自由に開放することができる状態、すなわちロックを解除した状態となっている。それとともに、押圧部材５４の当接面５４ａが下スイッチレバー先端部５７ｂへの当接から外れ、上スイッチレバー接触部５６ａと下スイッチレバー接触部５７ａが離れた状態となるので、開閉スイッチ５５が開状態となり、モータ３２への通電が不能な状態となっている。また、コントロールワイヤー取付板４５ａの略逆Ｌ字部４５ｂの係止が係止リブ５２ｂから外れるので、スプリングの付勢力により、ブレーキレバー４４のブレーキパットがブレーキドラム４３に摺接して制動力を付与する制動力作用位置に移動し、脱水かご３１の回転にブレーキをかけている状態となっている。
【００２９】
また、外蓋３８の下方のカバー体３４には開口部３５を覆う内蓋５８が設けられている。内蓋５８の後端部には横方向に向けて突設した内蓋用回転軸部５９を設け、内蓋用回転軸部５９はカバー体３４の後方部に凹設した内蓋用回転軸支持部６０に矢印Ｄおよび反矢印Ｄ方向に回転可能に枢支されている。内蓋５８の上面には窪んだ凹部６１を設け、凹部６１の前方側の一部を内蓋５８の上面と略面一に覆い、内蓋取手部６２としている。この内蓋取手部６２に手を掛け上方後方に引き上げることにより、内蓋５８を開放するように構成している。
【００３０】
さらに、パネル部材３７の裏面には、スライド部材４７が第１の所定の位置（Ｘ）に位置するとき、スライド部材４７をその位置に維持するための、ストッパー部５９を設けている。ストッパー部５９は、略三角状の凸部５９ａを有し、逆Ｕ字部４７ｂを挟むように対抗して２箇所に設けている。略三角状の凸部５９ａの先端部が逆Ｕ字部４７ｂ内に入り込むように形成されている。これにより、ブレーキレバー４４のブレーキパットがブレーキドラム４３に摺接して制動力を付与する位置に付勢するスプリングの付勢力に抗して、スライド部材４７を第１の所定の位置（Ｘ）に維持できるので、脱水動作中に不用意に外蓋がロック解除状態になるのを防止することができ、安全性を向上させることができる。
【００３１】
上記構成において動作を説明すると、使用者は、スライド部材４７が第２の所定の位置（Ｙ）に位置している状態で、脱水機の外蓋３８および内蓋５８を開き、開口部３５を介して脱水かご３１内に被脱水物を投入する。その後、内蓋５８を閉じ、さらに外蓋３８を閉じ、スライド部材４７を矢印Ｂ方向に第１の所定の位置（Ｘ）までスライドさせる。これにより、外蓋３８はロックされた状態となり、また、開閉スイッチ５５は閉状態でモータ３２への通電が可能な状態となり、さらに、ブレーキ機構４２の制動力が解除され、脱水かご３１が回転可能な状態となる。この状態において、使用者が図示しない脱水開始スイッチをＯＮ状態にすると、モータ３２に電力が供給され、脱水かご３１が所定回転数で所定時間回転する脱水動作が開始される。その後、所定時間経過するとモータ３２への電力の供給が絶たれ、脱水かご３１は惰性回転を行った後停止し、その状態で使用者はスライド部材４７を反矢印Ｂ方向にスライドさせた後、外蓋３８を開き、内蓋５８を開いて、被脱水物を脱水かご３１内から取り出して、脱水を終了する。
【００３２】
上記脱水動作中、すなわち、脱水かご３１が所定回転数で回転している状態においては、ロック部材５３のロック面５３ａにより後方突出部４０の回転が規制されているため、外蓋３８はロックされており、上方に引き上げようとしても開けることができない。したがって、使用者は、何らかの理由（被脱水物の追加、あるいは途中取り出し）で、脱水動作中に、外蓋３８を開けようとすると、まず、スライド部材４７のスライド操作部４７ａに手をかけ、スライド部材４７を反矢印Ｂ方向に第２の所定の位置（Ｙ）までスライドさせる。これにより、外蓋３８はロック状態を解除された状態となり、また、開閉スイッチ５５は開状態となるので、モータ３２への通電が絶たれ、脱水かご３１は惰性回転の状態となると同時に、ブレーキ機構４２に制動力が働き、脱水かご３１の回転にブレーキがかかる状態となる。その後、使用者は、ある程度の時間（使用者によって差は生ずるが、大体１秒前後）を要して、その操作する手を後方のスライド操作部４７ａから前方の外蓋３８の外蓋取手部３８ａまで移動させた後、外蓋３８を開き、さらに、操作する手を後方に移動した外蓋３８の外蓋取手部３８ａから前方の内蓋５８の内蓋取手部６２まで移動させる時間（これも使用者によって差は生ずるが、大体１秒前後）をさらに要して、内蓋５８の内蓋取手部６２に手をかけ上方後方に引き上げることにより、内蓋５８を開放する。すなわち、内蓋５８を開放する時は、脱水かご３１は、完全に停止した状態であるか、あるいは、回転していたとしても安全性を確保できる低い所定回転速度以下である。したがって、使用者が被脱水物を取り出す時、その手または指が回転している脱水かご３１あるいは被脱水物にからみ付くことがなく、安全性の高い脱水機を実現することができる。
【００３３】
したがって、上記構成によれば、蓋をロックするための駆動装置等が必要なく、上記のような安価な方法で、外蓋３８を確実にロックでき、かつ、脱水途中で外蓋３８を開ける場合にも安全性を確保できるものである。
【００３４】
なお、本実施の形態１では、ロック部材５３のロック面５３ａ、押圧部材５４の当接面５４ａおよび係止リブ５２ｂは、スライド部材４７のスライド動作により回動するようにしたが、スライド部材４７のスライド動作に伴って、ロック部材５３のロック面５３ａがスライドし、ロック部材５３のロック面５３ａが外蓋３８に形成した後方突出部４０の下方に入り込み停止するとともに、押圧部材５４の当接面５４ａがスライドし、開閉スイッチ５５を閉状態とし、係止リブ５２ｂがスライドし、ブレーキ機構４２を制動力不作用状態にしてもよく、この構成によっても、同等の効果が得られることは言うまでもない。
【００３５】
また、スライド部材４７のスライド動作の代わりに、スライド操作部４７ａと逆Ｕ字部４７ｂの間に回転支持部を設け、回転動作により、ロック状態とロック解除状態を切換えるようにしてもよく、同等の効果が得られることは言うまでもない。
【００３６】
また、第１アーム５１ａ、第２アーム５１ｂおよび係止ピン５２ａに相当する部分を直接、パネル部材３７より上方に出し、その第１アーム５１ａ、第２アーム５１ｂおよび係止ピン５２に相当する部分を直接操作し、ロック状態とロック解除状態を切換えるようにしてもよく、同等の効果が得られることは言うまでもない。
【００３７】
また、ストッパー部５９は、スライド部材４７の位置を維持するように設けたが、直接、ロック構成部材のうち、第１アーム５１ａ、第２アーム５１ｂ、係止ピン５２ａ、係止リブ５２ｂ、ロック部材５３および押圧部材５４のうち、少なくともいずれか１つの部材の位置を維持する位置に設けてもよく、同等の効果が得られることは言うまでもない。
【産業上の利用可能性】
【００３８】
以上のように、本発明にかかる脱水機は、安価な方法で確実に蓋をロックし、安全性を高めることが可能となるので、蓋のロック機構を有する脱水機および脱水機能を有するとともに蓋のロック機構を有する洗濯機等として有用である。
【図面の簡単な説明】
【００３９】
【図１】本発明の実施の形態１の脱水機の側断面図
【図２】同脱水機の外蓋のロック状態での要部矢視図
【図３】同脱水機の外蓋のロック解除状態での要部矢視図
【図４】従来の脱水機の要部側断面図
【符号の説明】
【００４０】
２９  本体
３１  脱水かご
３２  モータ
３５  開口部
３８  外蓋
３９ａ  ヒンジ軸（回転軸）
４０  後方突出部
４２  ブレーキ機構
４５  コントロールワイヤー
５２ｂ  係止リブ（係止部）
５３  ロック部材（ロック構成部材）
５３ａ  ロック面（ロック部）
５４ａ  当接面（当接部）
５５  開閉スイッチ
【図１】
2005287616.tif 000003
【図２】
2005287616.tif 000004
【図３】
2005287616.tif 000005
【図４】
2005287616.tif 000006